(57)【要約】【課題】本考案は、スマートフォンを収容できると共にスマートフォンを取り出さなくても収容した状態でスマートフォンの操作を行うことができるスマートフォン収納着脱機能付ウォレットを提供する。【解決手段】スマートフォン収納着脱機能付ウォレット１０は第１ウォレットケース部１６と第２ウォレットケース部１８を有している。第１ウォレットケース部１６の内側面にはカード収容部２６が複数形成されている。また、第１ウォレットケース部１６の内側には第１ポケット２８が形成されている。第２ウォレットケース部１８の内側には第２ポケット３２が形成されている。また、第２ウォレットケース部内側シート３０の表面には吸盤プレート４４が縫着され、吸盤プレート４４には吸盤４６が複数取り付けられている。【選択図】図１
0003200292.tif 000002
【実用新案登録請求の範囲】
【請求項１】
折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は前記第２ウォレットケース部の内側面の一方に設けられると共にスマートフォンを着脱できる吸盤と、前記ウォレットケースに形成された紙幣収容部と、を有してなることを特徴とするスマートフォン収納着脱機能付ウォレット。
【請求項２】
折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、を有してなることを特徴とするスマートフォン収納着脱機能付ウォレット。
【請求項３】
折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、前記ウォレットケースに形成されたコイン収容部と、を有してなることを特徴とするスマートフォン収納着脱機能付ウォレット。
【請求項４】
折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、この紙幣収容部の内側に形成されたＩＣカード収容ポケットと、前記ウォレットケースに形成されたコイン収容部と、を有してなることを特徴とするスマートフォン収納着脱機能付ウォレット。
【請求項５】
前記第１ウォレットケース部と前記第２ウォレットケース部の間に回動可能に設けられた回動プレートと、この回動プレートの少なくとも一面に形成されたカード収容部と、を有してなることを特徴とする請求項１、請求項２、請求項３、請求項４のいずれか１項に記載したスマートフォン収納着脱機能付ウォレット。
【考案の詳細な説明】
【技術分野】
【０００１】
本考案は、紙幣、カード等と共にスマートフォンを収容でき、しかもスマートフォンを収容した状態でスマートフォンを操作できるスマートフォン収納着脱機能付ウォレットに関する。
【背景技術】
【０００２】
現在、スマートフォンは極めて広く普及し、スマートフォンを肌身離さず携帯している人が急増している。
これらの人々は買物や食事等に出かける場合もスマートフォンを携帯している。
しかし、前記スマートフォンは携帯電話に比べて大型であり洋服のポケット等に収容しづらい。特に女性の服はファッション面からポケットが無かったり、ポケットがあってもポケットが小さい場合が多いため、スマートフォンを収容し難いと共に服のポケットにスマートフォンを収容すると見栄えの点からファッション的にも好ましくない。
そこで、出願人はスマートフォンを別途に収容するスマートフォン収容部を備えた財布を提案した（特許文献１）。
しかし、このスマートフォン収容部を備えた財布は、スマートフォンを収容すると収容した状態でスマートフォンを操作するのが難いため、スマートフォンを操作する場合はスマートフォン収容部からスマートフォンを一旦取り出して操作しなければならない。
【先行技術文献】
【特許文献】
【０００３】
【特許文献１】実用新案登録第３１７７９０１号公報
【考案の概要】
【考案が解決しようとする課題】
【０００４】
本考案は、上記事実に鑑みなされたものであり、スマートフォンを収容できると共にスマートフォンを取り出さなくても収容した状態でスマートフォンの操作を行うことができるスマートフォン収納着脱機能付ウォレットを提供するものである。
【課題を解決するための手段】
【０００５】
請求項１の考案は、折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は前記第２ウォレットケース部の内側面の一方に設けられると共にスマートフォンを着脱できる吸盤と、前記ウォレットケースに形成された紙幣収容部と、を有してなることを特徴としている。
請求項２の考案は、折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、を有してなることを特徴としている。
請求項３の考案は、折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、前記ウォレットケースに形成されたコイン収容部と、を有してなることを特徴としている。
請求項４の考案は、折曲部を挟んで開閉可能に形成された第１ウォレットケース部と第２ウォレットケース部を設けてなるウォレットケースと、前記第１ウォレットケース部の内側面又は第２ウォレットケース部の内側面の少なくとも一方に設けられたカード収容部と、前記第１ウォレットケース部の内側面又は第２ウォレットケース部の内側面の少なくとも一方に設けられたポケットと、前記第１ウォレットケース部の内側面又は前記第２ウォレットケース部の内側面の一方に設けられると共にスマートフォンを着脱できる吸盤と、前記ウォレットケースに形成された紙幣収容部と、この紙幣収容部の内側に形成されたＩＣカード収容ポケットと、前記ウォレットケースに形成されたコイン収容部と、を有してなることを特徴としている。
請求項５の考案は、前記第１ウォレットケース部と前記第２ウォレットケース部の間に回動可能に設けられた回動プレートと、この回動プレートの少なくとも一面に形成されたカード収容部と、を有してなることを特徴としている。
【考案の効果】
【０００６】
本考案は、スマートフォンを収納できると共にスマートフォンを着脱可能に取り付けることができるという優れた効果を有する。
本考案は、スマートフォン着脱プレートに設けられた吸盤にスマートフォンの操作面を露出した状態で確実に取り付けることができるので、スマートフォンが脱落するのを心配しないでスマートフォンを操作できるという優れた効果を有する。
請求項５の考案は、上記優れた効果の他にウォレットケースに収容されたカードを回動プレートで隠すことができるので、スマートフォンの操作を行う場合に第三者にカードを見られるのを防ぐことができるという優れた効果を有する。
【図面の簡単な説明】
【０００７】
【図１】第１実施例のスマートフォン収納着脱機能付ウォレットを開いた状態の正面図である。
【図２】第１実施例のスマートフォン収納着脱機能付ウォレットを開いた状態の正面図である。
【図３】第１実施例のスマートフォン収納着脱収納機能付ウォレットを開いた状態の全体斜視図である。
【図４】第１実施例のスマートフォン収納着脱機能付ウォレットにスマートフォンを取り付けた状態図である。
【図５】第１実施例のスマートフォン収納着脱機能付ウォレットを閉じた状態の全体斜視図である。
【図６】第１実施例のスマートフォン収納着脱機能付ウォレットを閉じた状態の全体背面図である。
【図７】第２実施例のスマートフォン収納着脱機能付ウォレットを開いた状態の正面図である。
【図８】第３実施例のスマートフォン収納着脱機能付ウォレットを開いた状態の正面図である。
【図９】第３実施例のスマートフォン収納着脱機能付ウォレットを開いた状態の正面図である。
【図１０】第３実施例のスマートフォン収納着脱機能付ウォレットを閉じた状態の全体斜視図である。
【図１１】第３実施例のスマートフォン収納着脱機能付ウォレットを閉じた状態の全体背面図である。
【図１２】第４実施例のスマートフォン収納着脱機能付ウォレットを開いた状態の正面図である。
【考案を実施するための形態】
【０００８】
考案を実施するために最良の形態の例として以下のような実施例を示す。
【実施例１】
【０００９】
図１〜図６には本考案に係るスマートフォン収納着脱機能付ウォレットの第１実施例が示されている。
このスマートフォン収納着脱機能付ウォレット１０のウォレットケース１２は折曲部１４を挟んで第１ウォレットケース部１６と第２ウォレットケース部１８を有している。
【００１０】
図１及び図２に示されるように、この第１ウォレットケース部１６の外側縁と第２ウォレットケース部１８の外側縁にはファスナー２０が取り付けられている。このファスナー２０はファスナースライダー２２をスライドさせることにより第１ウォレットケース部１６と第２ウォレットケース部１８を開閉できるようになっている。
【００１１】
図１に示されるように、前記第１ウォレットケース部１６の内側面には第１ウォレットケース部内側シート２４が取り付けられている。この第１ウォレットケース部内側シート２４の表面にはカード１を差し込んで収容できるカード収容部２６が複数形成されている。
【００１２】
前記第１ウォレットケース部内側シート２４の第１辺２４Ａ，第２辺２４Ｂ，第３辺２４Ｃは前記第１ウォレットケース部１６と縫着されているが、第４辺２４Ｄは前記第１ウォレットケース部１６と縫着されていない。
このため前記第１ウォレットケース部１６と前記第１ウォレットケース部内側シート２４の間には第１ポケット２８が形成されている。
【００１３】
図２に示されるように、前記第２ウォレットケース部１８の内側面には第２ウォレットケース部内側シート３０が取り付けられている。この第２ウォレットケース部内側シート３０の第１辺３０Ａ，第２辺３０Ｂ，第３辺３０Ｃは前記第２ウォレットケース部１８と縫着されているが、第４辺３０Ｄは前記第２ウォレットケース部１８と縫着されていない。
このため前記第２ウォレットケース部１８と前記第２ウォレットケース部内側シート３０の間には第２ポケット３２が形成されている。
【００１４】
図３に示されるように、前記第１ウォレットケース部１６と前記第２ウォレットケース部１８の間には回動プレート３４が回動可能に配設されている。この回動プレート３４の基端部３４Ａは前記第１ウォレットケース部内側シート２４の第４辺２４Ｄと縫着されている。
このため、このス回動プレート３４は基端部３４Ａを中心として図３矢印方向に回動できるようになっている。
【００１５】
図１に示されるように、前記回動プレート３４の一面にはカード１を差し込んで収容できる回動プレートカード収容部３６が複数形成されている。
【００１６】
図２に示されるように、前記回動プレート３４の他面には回動プレートポケット形成シート４０が取り付けられている。この回動プレートポケット形成シート４０の第１辺４０Ａ，第２辺４０Ｂ，第３辺４０Ｃは前記回動プレート３４と縫着されているが、第４辺４０Ｄは回動プレート３４と縫着されていない。
このため前記回動プレート３４と回動プレートポケット形成シート４０の間には回動プレートポケット４２が形成されている。
【００１７】
前記第２ウォレットケース部内側シート３０の表面には吸盤プレート４４が縫着されている。
この吸盤プレート４４にはスマートフォン着脱部としての樹脂製の吸盤４６が複数（実施例では５個）取り付けられている。
【００１８】
図４に示されるように、これら吸盤４６はスマートフォン２の背面を確実に吸着できるようになっている。また、スマートフォン２の操作部が形成されている正面２Ａは全体が露出されるようになっている。
【００１９】
図５及び図６に示されるように、前記第１ウォレットケース部１６及び前記第２ウォレットケース部１８の外側には紙幣収容部形成シート５０が配設されている。この紙幣収容部形成シート５０の第１辺５０Ａ，第２辺５０Ｂ，第３辺５０Ｃは前記第１ウォレットケース部１６又は第２ウォレットケース部１８と縫着されているが、第４辺５０Ｄは第１ウォレットケース部１６、第２ウォレットケース部１８と縫着されていない。
このため前記第１ウォレットケース部１６、第２ウォレットケース部１８と前記紙幣収容部形成シート５０の間には紙幣収容部５２が形成されている。
【００２０】
図５に示されるように、前記第１ウォレットケース部１６に対応する紙幣収容部５２の内側にはＩＣカードを収容できるＩＣカード収容ポケット５３が形成されている。
このため、電車やバス等に乗車する場合に使用できるＩＣカード（図示せず）等を収容できるようになっている。  
【００２１】
図６に示されるように、第２ウォレットケース部１８に対応する紙幣収容部形成シート５０にはコイン収容部５４が形成されている。このコイン収容部５４はファスナー５６が設けられ、ファスナースライダー５８をスライドすることによりコイン収容部５４を開閉できるようになっている。
なお、前記コイン収容部５４にはマチ部５４Ａが形成され、コイン収容部５４にコインを収容し易くなっている。  
【００２２】
次に、第１実施例のスマートフォン収納着脱機能付ウォレット１０の作用について説明する。
【００２３】
このスマートフォン収納着脱機能付ウォレット１０のウォレットケース１２を開ける場合はファスナースライダー２２をスライドさせてファスナー２０を開ける。
そして、前記ウォレットケース１２の第１ウォレットケース部１６と第２ウォレットケース部１８を互いに離間方向に開けてウォレットケース１２を開く。
【００２４】
前記スマートフォン収納着脱機能付ウォレット１０に紙幣を収容する場合は紙幣収容部５２に紙幣を収容することができ、コインを収容する場合はコイン収容部５４にコインを収容することができるようになっている。
また、クレジットカード等に比べて使用頻度の高いＩＣカードは紙幣収容部５２の内側に形成されたＩＣカード収容ポケット５３に収容されるので、ＩＣカードを使用する場合にその都度ウォレットケース１２を開閉する必要がないので煩雑でない。
なお、クレジットカード等のカード１を収容する場合はカード収容部２６，３６にカード１を差し込むことにより収容することができる。
更に、買い物等でレシートを受け取った場合は第１ポケット２８、第２ポケット３２、回動プレートポケット４２に収容することができ便利である。
【００２５】
前記ウォレットケース１２の内部には吸盤４６が設けられているので、スマートフォン２の背面を吸盤４６に吸着させることによりスマートフォン２を簡単確実に取り付けることができる。
従って、図４に示されるようにウォレットケース１２にスマートフォン２が収容されていてもスマートフォン２の操作面である正面２Ａは完全に露出しているので、スマートフォン２を自由に操作することができる。
【００２６】
また、図４に示されるように、回動プレート３４を第１ウォレットケース部１６側に倒した状態にしておけば第１ウォレットケース部内側シート２４のカード収容部２６に差し込まれているカード１を回動プレート３４が覆い隠す。
このため、スマートフォン２の使用中に第三者がカード収容部２６に差し込まれているカード１を見ることを防ぐことができる。
【００２７】
なお、スマートフォン２をウォレットケース１２から取り出す場合はスマートフォン２を強く引っ張れば、スマートフォン２の背面は吸盤４６から外れるので、簡単にスマートフォン２を取り外すことができる。
【００２８】
また、スマートフォン収納着脱機能付ウォレット１０は、吸盤４６にスマートフォン２が吸着されるので、食事や買物等の支払い時にスマートフォン２が邪魔にならず支払いを行うことができる。
【００２９】
図７にはスマートフォン収納着脱機能付ウォレットの第２実施例が記載されている。なお、第１実施例のスマートフォン収納着脱機能付ウォレット１０と同一の構成は同一の符号を用いてその説明は省略する。
【００３０】
図７に示されるように、第２実施例のスマートフォン収納着脱機能付ウォレット６０は第１実施例のスマートフォン収納着脱機能付ウォレット１０と異なり回動プレート３４は設けられていない。
回動プレート３４を設けないことによりスマートフォン収納着脱機能付ウォレット６０の厚みを第１実施例のスマートフォン収納着脱機能付ウォレット１０の厚みより薄くすることができる。これにより、スマートフォン収納着脱機能付ウォレット６０を洋服のポケット等に入れ易く、より携帯に便利にすることができるという効果を有する。
なお、他の構成、作用、効果は第１実施例のスマートフォン収納着脱機能付ウォレット１０と同一であるので、説明は省略する。  
【００３１】
図８〜図１１にはスマートフォン収納着脱機能付ウォレットの第３実施例が記載されている。なお、第１実施例のスマートフォン収納着脱機能付ウォレット１０と同一の構成は同一の符号を用いてその説明は省略する。
【００３２】
この第３実施例のスマートフォン収納着脱機能付ウォレット７０のウォレットケース７２は折曲部７４を挟んで第１ウォレットケース部７６と第２ウォレットケース部７８を有している。
【００３３】
図９に示されるように、前記第１ウォレットケース部７６にはボタン状の係合凹部（図示せず）が設けられている。また、前記第２ウォレットケース部７８には係合バンド８２の基端部８２Ａが固定され、係合バンド８２の先端部８２Ｂには前記係合凹部と嵌合可能なボタン状の係合凸部８４（図８参照）が固定されている。
従って、前記係合凹部と前記係合凸部８４を嵌合したり、嵌合解除することにより第１ウォレットケース部７６と第２ウォレットケース部７８を開閉できるようになっている。
【００３４】
図８に示されるように、前記第１ウォレットケース部７６の内側面には第１ウォレットケース部内側シート２４が取り付けられている。この第１ウォレットケース部内側シート２４の表面にはカード１を差し込んで収容できるカード収容部２６が複数形成されている。
【００３５】
前記第１ウォレットケース部内側シート２４の第１辺２４Ａ，第２辺２４Ｂ，第３辺２４Ｃは前記第１ウォレットケース部７６と縫着されているが、第４辺２４Ｄは前記第１ウォレットケース部７６と縫着されていない。
このため前記第１ウォレットケース部７６と前記第１ウォレットケース部内側シート２４の間には第１ポケット２８が形成されている。
【００３６】
図９に示されるように、前記第２ウォレットケース部７８の内側面には第２ウォレットケース部内側シート３０が取り付けられている。この第１ウォレットケース部内側シート３０の第１辺３０Ａ，第２辺３０Ｂ，第３辺３０Ｃは前記第２ウォレットケース部７８と縫着されているが、第４辺３０Ｄは前記第２ウォレットケース部７８と縫着されていない。
このため前記第２ウォレットケース部７８と前記第２ウォレットケース部内側シート３０の間には第２ポケット３２が形成されている。
【００３７】
図８及び図９に示されるように、前記第１ウォレットケース部７６と前記第２ウォレットケース部７８の間には回動プレート３４が回動可能に配設されている。図８に示されるように、この回動プレート３４の基端部３４Ａは前記第１ウォレットケース部内側シート２４の第４辺２４Ｄと縫着されている。
このため、回動プレート３４は基端部３４Ａを中心として回動できるようになっている。
【００３８】
図８に示されるように、この回動プレート３４の一面にはカード１を差し込んで収容できる回動プレートカード収容部３６が複数形成されている。
【００３９】
図９に示されるように、前記回動プレート３４の他面には回動プレートポケット形成シート４０が取り付けられている。この回動プレートポケット形成シート４０の第１辺４０Ａ，第２辺４０Ｂ，第３辺４０Ｃは前記回動プレート３４と縫着されているが、第４辺４０Ｄは回動プレート３４と縫着されていない。
このため前記回動プレート３４と回動プレートポケット形成シート４０の間には回動プレートポケット４２が形成されている。
【００４０】
前記第２ウォレットケース部内側シート３０の表面には吸盤プレート４４が縫着されている。
この吸盤プレート４４には吸盤４６が複数（実施例では５個）取り付けられている。
【００４１】
図１０及び図１１に示されるように、前記第１ウォレットケース部７６及び前記第２ウォレットケース部７８の外側には紙幣収容部形成シート５０が配設されている。この紙幣収容部形成シート５０の第１辺５０Ａ，第２辺５０Ｂ，第３辺５０Ｃは前記第１ウォレットケース部７６又は第２ウォレットケース部７８と縫着されているが、第４辺５０Ｄは第１ウォレットケース部７６、第２ウォレットケース部７８と縫着されていない。
このため前記第１ウォレットケース部７６、第２ウォレットケース部７８と前記紙幣収容部形成シート５０の間には紙幣収容部５２が形成されている。
【００４２】
図１０に示されるように、前記第１ウォレットケース部７６に対応する紙幣収容部５２の内側にはＩＣカード収容ポケット５３が形成され、電車やバス等に乗車する場合に使用できるＩＣカード（図示せず）等を収容できるようになっている。
【００４３】
図１１に示されるように、第２ウォレットケース部７８に対応する紙幣収容部形成シート５０にはコイン収容部５４が形成されている。このコイン収容部５４はファスナー５６が設けられ、ファスナースライダー５８をスライドすることによりコイン収容部５４を開閉できるようになっている。
なお、他の構成、作用、効果は第１実施例のスマートフォン収納着脱機能付ウォレット１０と同一であるのでその説明は省略する。
【００４４】
図１２にはスマートフォン収納着脱機能付ウォレットの第４実施例が記載されている。なお、第１実施例のスマートフォン収納着脱機能付ウォレット１０、第３実施例のスマートフォン収納着脱機能付ウォレット７０と同一の構成は同一の符号を用いてその説明は省略する。
【００４５】
図１２に示されるように、第４実施例のスマートフォン収納着脱機能付ウォレット９０は第３実施例のスマートフォン収納着脱機能付ウォレット７０と異なり回動プレート３４は設けられていない。
回動プレート３４を設けないことによりスマートフォン収納着脱機能付ウォレット９０の厚みを第３実施例のスマートフォン収納着脱機能付ウォレット７０の厚みより薄くすることができ、洋服のポケット等に入れ易く、携帯に便利であるという効果を有する。
なお、他の構成、作用、効果は第１実施例のスマートフォン収納着脱機能付ウォレット１０、第３実施例のスマートフォン収納着脱機能付ウォレット７０と同一であるので、説明は省略する。  
【００４６】
なお、実施例では吸盤プレート４４に吸盤４６を５個設けた場合を示したが、吸盤４６の数は実施例に限定されるものでないことは勿論である。
【産業上の利用可能性】
【００４７】
本考案のスマートフォン収納着脱機能付ウォレットは、スマートフォン以外に携帯電話を収容する場合にも使用することができる。
【符号の説明】
【００４８】
１０    スマートフォン収納着脱機能付ウォレット
１２    ウォレットケース
１４    折曲部
１６    第１ウォレットケース部
１８    第２ウォレットケース部
２０    ファスナー
２２    ファスナースライダー
２４    第１ウォレットケース部内側シート
２６    カード収容部
２８    第１ポケット
３０    第２ウォレットケース部内側シート
３２    第２ポケット
３４    回動プレート
３６    回動プレートカード収容部
４０    回動プレートポケット形成シー
４２    回動プレートポケット
４４    吸盤プレート
４６    吸盤
５０    紙幣収容部形成シート
５２    紙幣収容部
５３    ＩＣカード収容ポケット
５４    コイン収容部
【図１】
0003200292.tif 000003
【図２】
0003200292.tif 000004
【図３】
0003200292.tif 000005
【図４】
0003200292.tif 000006
【図５】
0003200292.tif 000007
【図６】
0003200292.tif 000008
【図７】
0003200292.tif 000009
【図８】
0003200292.tif 000010
【図９】
0003200292.tif 000011
【図１０】
0003200292.tif 000012
【図１１】
0003200292.tif 000013
【図１２】
0003200292.tif 000014